【手続補正書】
【提出日】令和2年9月16日(2020.9.16)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
データをユーザ機器(UE)へ送信するための第1のヌメロロジーを識別するステップと、
同期信号を前記UEへ送信するための第2のヌメロロジーを識別するステップと、
通常ダウンリンクバーストの中の少なくとも第1のダウンリンク送信を、前記データの少なくとも一部分を前記UEへ送信するための前記第1のヌメロロジーを用いて構成するステップと、
前記通常ダウンリンクバーストの中の第2のダウンリンク送信の少なくとも一部分を、前記同期信号を前記UEへ送信するための前記第2のヌメロロジーを用いて構成するステップと、
前記UEに前記データの第2の部分を送信するための、前記第2のダウンリンク送信の第2の部分を構成するステップであって、前記一部分および前記第2の部分が少なくとも一部時間的に重複する、ステップと、
前記第1のダウンリンク送信および前記第2のダウンリンク送信を前記UEへ送信するステップと
を備える方法。
【請求項２】
前記第2のダウンリンク送信が、少なくとも1次同期信号(PSS)、もしくは2次同期信号(SSS)、または物理ブロードキャストチャネル(PBCH)送信、あるいはそれらの組合せを含む、請求項1に記載の方法。
【請求項３】
前記第2のダウンリンク送信の少なくとも一部分を構成するステップが、
前記同期信号またはブロードキャストチャネル送信のうちの少なくとも1つを前記UEへ送信するための、前記第2のダウンリンク送信の1つまたは複数のシンボルの第1の部分を識別するステップと、
前記データの少なくとも一部分を前記UEへ送信するための、前記第2のダウンリンク送信の前記1つまたは複数のシンボルのうちの少なくとも1つの第2の部分を識別するステップと、
前記1つまたは複数のシンボルの前記第1の部分を、前記第2のヌメロロジーを用いて構成するステップと、
前記1つまたは複数のシンボルのうちの前記少なくとも1つの前記第2の部分を、前記第1のヌメロロジーを用いて構成するステップと
を備える、請求項1に記載の方法。
【請求項４】
前記第2のダウンリンク送信の少なくとも一部分を構成するステップが、
前記同期信号を前記UEへ送信するための、前記第2のダウンリンク送信のシンボルのセットの第1のサブセットを識別するステップと、
前記データの少なくとも一部分を前記UEへ送信するための、前記第2のダウンリンク送信のシンボルの前記セットの第2のサブセットを識別するステップと、
シンボルの前記セットの前記第1のサブセットおよびシンボルの前記セットの前記第2のサブセットの各シンボルを、前記第2のヌメロロジーを用いて構成するステップと
を備える、請求項1に記載の方法。
【請求項５】
前記第2のダウンリンク送信が、ダウンリンクシンボルのセットを備え、ダウンリンクシンボルの前記セットの第1のサブセットが、前記同期信号を送信するために使用され、前記方法が、
ブロードキャストチャネル送信を送信するための、ダウンリンクシンボルの前記セットの第2のサブセットを識別するステップと、
ダウンリンクシンボルの前記セットの前記第1のサブセットを、前記第2のヌメロロジーを用いて構成するステップと、
ダウンリンクシンボルの前記セットの前記第2のサブセットを、前記第1のヌメロロジーを用いて構成するステップと
をさらに備える、請求項1に記載の方法。
【請求項６】
前記第2のダウンリンク送信の少なくとも一部分を構成するステップが、
前記同期信号を前記UEへ送信するための、前記第2のダウンリンク送信のシンボルのセットの第1のサブセットを識別するステップと、
前記データの少なくとも一部分を前記UEへ送信するための、前記第2のダウンリンク送信のシンボルの前記セットの第2のサブセットを識別するステップと、
シンボルの前記セットの前記第1のサブセットの各シンボルを、前記第2のヌメロロジーを用いて構成するステップと、
シンボルの前記セットの前記第2のサブセットの各シンボルを、前記第1のヌメロロジーを用いて構成するステップと
を備える、請求項1に記載の方法。
【請求項７】
前記第2のダウンリンク送信が、ダウンリンクシンボルのセットを備え、ダウンリンクシンボルの前記セットの第1のサブセットが、前記同期信号を送信するために使用され、前記方法が、
ブロードキャストチャネル送信を送信するための、ダウンリンクシンボルの前記セットの第2のサブセットを識別するステップと、
ダウンリンクシンボルの前記セットの前記第1のサブセットおよびダウンリンクシンボルの前記セットの前記第2のサブセットを、前記第2のヌメロロジーを用いて構成するステップと
をさらに備える、請求項1に記載の方法。
【請求項８】
前記第1のヌメロロジー、前記第2のヌメロロジー、またはそれらの組合せが、前記第2のダウンリンク送信の中で使用されるべきであることを示すための指示を、前記UEへ送信するステップ
をさらに備える、請求項1に記載の方法。
【請求項９】
前記指示が、前記UEへ送信される最小システム情報(MSI)、ダウンリンク制御情報(DCI)、または物理ブロードキャストチャネル送信のうちの少なくとも1つの中で送信される、請求項8に記載の方法。
【請求項１０】
前記UEに対するUEカテゴリーを識別するステップと、
前記UEの前記UEカテゴリー、およびダウンリンク送信が前記同期信号を含むかどうかに少なくとも部分的に基づいて、前記UEへの前記データの送信をスケジュールするステップと
をさらに備える、請求項1に記載の方法。
【請求項１１】
前記UEへの前記データの送信が、前記同期信号を含む前記第2のダウンリンク送信のリソースブロック(RB)またはシンボルの中にスケジュールされない、請求項10に記載の方法。
【請求項１２】
ワイヤレス通信のための方法であって、
基地局からデータを受信するための第1のヌメロロジーを識別するステップと、
前記基地局から同期信号を受信するための第2のヌメロロジーを識別するステップと、
通常ダウンリンクバーストの中の少なくとも第1の受信ダウンリンク送信を、前記第1のヌメロロジーに少なくとも部分的に基づいて復調および復号するステップであって、前記第1の受信ダウンリンク送信が、前記基地局からの前記データの少なくとも一部分を含む、ステップと、
前記通常ダウンリンクバーストの中の第2の受信ダウンリンク送信の少なくとも一部分を、前記第2のヌメロロジーに少なくとも部分的に基づいて復調および復号するステップであって、前記第2の受信ダウンリンク送信が、前記基地局からの前記同期信号を含む、ステップと、
前記通常ダウンリンクバーストの中の前記第2の受信ダウンリンク送信の第2の部分を復調および復号するステップであって、前記第2の受信ダウンリンク送信の前記第2の部分が、前記基地局からの前記データの第2の部分を含み、前記一部分および前記第2の部分が少なくとも一部時間的に重複する、ステップと
を備える方法。
【請求項１３】
ワイヤレス通信のための装置であって、
データをユーザ機器(UE)へ送信するための第1のヌメロロジーを識別するための手段と、
同期信号を前記UEへ送信するための第2のヌメロロジーを識別するための手段と、
通常ダウンリンクバーストの中の少なくとも第1のダウンリンク送信を、前記データの少なくとも一部分を前記UEへ送信するための前記第1のヌメロロジーを用いて構成するための手段と、
前記通常ダウンリンクバーストの中の第2のダウンリンク送信の少なくとも一部分を、前記同期信号を前記UEへ送信するための前記第2のヌメロロジーを用いて構成するための手段と、
前記UEに前記データの第2の部分を送信するための、前記第2のダウンリンク送信の第2の部分を構成するための手段であって、前記一部分および前記第2の部分が少なくとも一部時間的に重複する、手段と、
前記第1のダウンリンク送信および前記第2のダウンリンク送信を前記UEへ送信するための手段と
を備える装置。
【請求項１４】
ワイヤレス通信のための装置であって、
基地局からデータを受信するための第1のヌメロロジーを識別するための手段と、
前記基地局から同期信号を受信するための第2のヌメロロジーを識別するための手段と、
通常ダウンリンクバーストの中の少なくとも第1の受信ダウンリンク送信を、前記第1のヌメロロジーに少なくとも部分的に基づいて復調および復号するための手段であって、前記第1の受信ダウンリンク送信が、前記基地局からの前記データの少なくとも一部分を含む、手段と、
前記通常ダウンリンクバーストの中の第2の受信ダウンリンク送信の少なくとも一部分を、前記第2のヌメロロジーに少なくとも部分的に基づいて復調および復号するための手段であって、前記第2の受信ダウンリンク送信が、前記基地局からの前記同期信号を含む、手段と、
前記通常ダウンリンクバーストの中の前記第2の受信ダウンリンク送信の第2の部分を復調および復号するための手段であって、前記第2の受信ダウンリンク送信の前記第2の部分が、前記基地局からの前記データの第2の部分を含み、前記一部分および前記第2の部分が少なくとも一部時間的に重複する、手段と
を備える装置。
【請求項１５】
ワイヤレス通信のためのコードを記憶する非一時的コンピュータ可読記憶媒体であって、前記コードが、プロセッサに、実行時に請求項１〜１１または１２のいずれか一項に記載の方法を行わせるように動作可能な命令を備える、非一時的コンピュータ可読記憶媒体。